(57)【要約】【課題】  特に過電流が流れた時に、オーバーロードによる機器への影響を防止するオーバーロードブレーカースイッチを提供する。【解決手段】  本考案は、収納部（１１）を有する外部カバー（１０）と、該外部カバー（１０）の収納部（１１）内に設置される第１ピン（２０）及び第２ピン（３０）と、該収納部（１１）内に設置され、可動端（４２）を有するガイドプレート（４０）と、該外部カバー（１０）に枢設され、ＯＦＦ切換部（６１）及びＯＮ切換部（６２）を有するスイッチ部（６０）と、該収納部（１１）内に固設される掛止部材（５０）と、を備え、該ＯＮ切換部（６２）が押圧された時は、可動端（４２）が第２ピン（３０）に接触し、一方、ＯＦＦ切換部（６１）が押圧された時は、可動端（４２）が第２ピン（３０）から離間し、押圧部（６３２）が掛止部材（５０）に掛止されることを特徴とする。【選択図】  図１
0003127561.tif 000002
【実用新案登録請求の範囲】
【請求項１】
収納部が形成される外部カバーと、
前記外部カバーの収納部内に設置され、電力供給回路と接続される第１ピン及び第２ピンと、
前記収納部内に設置され、前記第１ピン上に固設される固定端及び第２ピンと対応し、温度が上昇した時、第２ピンから離間して電力供給回路への過電流の流れを遮断し、温度が低下すると、第２ピンと接触する可動端を有するガイドプレートと、
前記外部カバー上に枢設され、ＯＦＦ切換部及びＯＮ切換部を有し、該ＯＮ切換部上に、収納部内に設置されると共に、前記ガイドプレートの可動端と接続される押圧柱が設けられ、該押圧柱に押圧部が設けられるスイッチ部と、
可撓性を有し、前記収納部内に固設されると共に、前記押圧柱における押圧部と対応する掛止部材と、を備え、
前記スイッチ部のＯＮ切換部が押圧された時は、前記ガイドプレートの可動端が第２ピンに接触し、一方、スイッチ部のＯＦＦ切換部が押圧された時は、ガイドプレートの可動端が第２ピンから離間し、押圧柱の押圧部が掛止部材に掛止されることを特徴とする、オーバーロードブレーカースイッチ。
【請求項２】
前記ガイドプレートが２種の合金から製造されることを特徴とする請求項１のオーバーロードブレーカースイッチ。
【請求項３】
前記掛止部材が金属プレート又はプラスチックプレートであることを特徴とする請求項１のオーバーロードブレーカースイッチ。
【考案の詳細な説明】
【技術分野】
【０００１】
本考案は、特に過電流が流れた時に、オーバーロードによる機器への影響を防止するオーバーロードブレーカースイッチに関する。
【背景技術】
【０００２】
図７に示すように、現有のオーバーロードブレーカースイッチは、外部カバー（９０）を有し、該外部カバー（９０）に２つの第１ピン（９２）及び第２ピン（９１）が設置され、該第１ピン（９２）及び第２ピン（９１）は、電源ソケットモジュールの電力供給回路に接続され、その内、第１ピン（９２）の上部には、可動端（９３１）を有する、２種の合金からなるガイドプレート（９３）が固設され、該可動端（９３１）は、他の電力供給回路の第２ピン（９１）と対応し、また、該外部カバー（９０）上にスイッチ部（９４）が設けられ、該スイッチ部（９４）の下側にガイドプレート（９３）の可動端（９３１）と押圧可能な押圧柱（９４１）が延設される。
【０００３】
また、通常の温度下において、前記スイッチ部（９４）がＯＮ状態であり、押圧柱（９４１）がガイドプレート（９３）を押圧している時は、ガイドプレート（９３）の可動端（９３１）が第２ピン（９１）と接触され、電力供給回路と導通状態になり、電源ソケットモジュール上の電器設備に対して電力を供給する。この時、過電流が流れてガイドプレート（９３）の温度が所定の温度より高くなると、２種の合金からなるガイドプレート（９３）の特性により、該ガイドプレート（９３）がスイッチ部（９４）側へ湾曲して第２ピン（９１）から離れ、それと同時に押圧柱（９４１）が押し上げられてスイッチ部（９４）がＯＦＦ状態に切り換り、電力供給回路への電力の供給が遮断される。
【考案の開示】
【考案が解決しようとする課題】
【０００４】
しかしながら、高緯度の地域では、冬季の気温が摂氏０度以下となり、そのような環境では、供給される電力が電源ソケットモジュールの負荷を超え、ガイドプレート（９３）の可動端（９３１）が第２ピン（９１）から離れ、その後、ガイドプレート（９３）の温度が低温環境により低下して、可動端（９３１）が短時間内に再び第２ピン（９１）と接触し、電力供給が始まる。このように、この構成によれば、幾度となく電源ソケットモジュールに過電流が流れ、オーバーロード状態となるので、電源ソケットモジュールの使用寿命が短くなり、場合によっては破損する恐れがある。
【課題を解決するための手段】
【０００５】
本考案に係る請求項１は、収納部（１１）が形成される外部カバー（１０）と、
前記外部カバー（１０）の収納部（１１）内に設置され、電力供給回路と接続される第１ピン（２０）及び第２ピン（３０）と、
前記収納部（１１）内に設置され、前記第１ピン（２０）上に固設される固定端（４１）及び第２ピン（３０）と対応し、温度が上昇した時、第２ピン（３０）から離間して電力供給回路への過電流の流れを遮断し、温度が低下すると、第２ピン（３０）と接触する可動端（４２）を有するガイドプレート（４０）と、
前記外部カバー（１０）上に枢設され、ＯＦＦ切換部（６１）及びＯＮ切換部（６２）を有し、該ＯＮ切換部（６２）上に、収納部（１１）内に設置されると共に、前記ガイドプレート（４０）の可動端（４２）と接続される押圧柱（６３）が設けられ、該押圧柱（６３）上に押圧部（６３２）が設けられるスイッチ部（６０）と、
可撓性を有し、前記収納部（１１）内に固設されると共に、前記押圧柱（６３）における押圧部（６３２）と対応する掛止部材（５０）と、を備え、
前記スイッチ部（６０）のＯＮ切換部（６２）が押圧された時は、前記ガイドプレート（４０）の可動端（４２）が第２ピン（３０）に接触し、一方、スイッチ部（６０）のＯＦＦ切換部（６１）が押圧された時は、ガイドプレート（４０）の可動端（４２）が第２ピン（３０）から離間し、押圧柱（６３）の押圧部（６３２）が掛止部材（５０）に掛止されることを特徴とするオーバーロードブレーカースイッチを提供するものであり、
本考案に係る請求項２は、前記ガイドプレート（４０）が２種の合金から製造されることを特徴とする請求項１に記載のオーバーロードブレーカースイッチを提供するものであり、
本考案に係る請求項３は、前記掛止部材（５０）が金属プレート又はプラスチックプレートであることを特徴とする請求項１に記載のオーバーロードブレーカースイッチを提供するものである。
【考案の効果】
【０００６】
本考案は上記の課題を解決するものであり、収納部が形成される外部カバーと、
外部カバーの収納部内に設置され、電力供給回路と接続される第１ピン及び第２ピンと、
前記収納部内に設置され、前記第１ピン上に固設される固定端及び第２ピンと対応し、温度が上昇した時、第２ピンから離間して電力供給回路への過電流の流れを遮断し、温度が低下すると、第２ピンと接触する可動端を有するガイドプレートと、
前記外部カバー上に枢設され、ＯＦＦ切換部及びＯＮ切換部を有し、該ＯＮ切換部上に、収納部内に設置されると共に、前記ガイドプレートの可動端と接続される押圧柱が設けられ、該押圧柱上に押圧部が設けられるスイッチ部と、
可撓性を有し、前記収納部内に固設されると共に、前記押圧柱における押圧部と対応する掛止部材と、を備え、
前記スイッチ部のＯＮ切換部が押圧された時は、前記ガイドプレートの可動端が第２ピンに接触し、一方、スイッチ部のＯＦＦ切換部が押圧された時は、ガイドプレートの可動端が第２ピンから離間し、押圧柱の押圧部が掛止部材に掛止される構成をなす。これにより、押圧柱の第２ピン側への移動を防止して、ガイドプレートにおける可動端の第１ピンへの接触を防ぐ。
【０００７】
前記の技術手段によれば、本考案のオーバーロードブレーカースイッチは、低温下においても正常に作動することから、スイッチ部が温度の低下により自ら復位して、電力供給回路と接触状態になることはないので、オーバーロードブレーカースイッチと接続される電源ソケットモジュールが予期せぬ状況において自ら電力を供給することを防止できる。故に、本考案のオーバーロードブレーカースイッチは、短絡による機器の破損を防ぎ、使用寿命を向上させることができる。
【考案を実施するための最良の形態】
【０００８】
以下、添付図面を参照して本考案の好適な実施の形態を詳細に説明する。
【実施例】
【０００９】
図１は本考案に係るオーバーロードブレーカースイッチをＯＮ状態にした時の斜視図であり、図２は本考案に係るオーバーロードブレーカースイッチをＯＮ状態にした時の側面図であり、図３は本考案に係るオーバーロードブレーカースイッチにおけるスイッチ部と第２ピンとの導通状態を示した斜視図であり、図４は本考案に係るオーバーロードブレーカースイッチをＯＦＦ状態にした時の斜視図であり、図５は本考案に係るオーバーロードブレーカースイッチをＯＦＦ状態にした時の側面図であり、図６は本考案に係るオーバーロードブレーカースイッチにおけるスイッチ部と第２ピンとの非導通状態を示した斜視図である。
【００１０】
図1及び図２に示すように、本考案に係るオーバーロードブレーカースイッチは、外部カバー（１０）、第１ピン（２０）、第２ピン（３０）、ガイドプレート（４０）、スイッチ部（６０）及び掛止部材（５０）を備える。
【００１１】
前記外部カバー（１０）上には、収納部（１１）が形成され、前記第１ピン（２０）及び第２ピン（３０）は、外部カバー（１０）の収納部（１１）内に設置され、電力供給回路と接続される。
【００１２】
前記ガイドプレート（４０）は、前記収納部（１１）内に設置され、前記第１ピン（２０）上に固設される固定端（４１）及び第２ピン（３０）と対応し、電力供給回路と接続される可動端（４２）を有し、温度が上昇した時、第２ピン（３０）から離間して電力供給回路への過電流の流れを遮断し、温度が低下すると、第２ピン（３０）と接触する。尚、該ガイドプレート（４０）は、２層構造であり、且つ熱膨張係数の異なる２種の合金から製造され、その２種の合金が熱膨張すると、一方の方向に湾曲し、また、該合金が冷えると、他方の方向に湾曲する特性を持つ。
【００１３】
図２及び図３に示すように、前記スイッチ部（６０）は、前記外部カバー（１０）上に枢設され、ＯＦＦ切換部（６１）及びＯＮ切換部（６２）を有し、該ＯＮ切換部（６２）上に、収納部（１１）内に設置されると共に、前記ガイドプレート（４０）の可動端（４２）と接続される押圧柱（６３）が設けられ、該押圧柱（６３）上に押圧部（６３２）が設けられる。
【００１４】
前記掛止部材（５０）は、可撓性を有する金属或いはプラスチックプレートからなり、前記収納部（１１）内に固設されると共に、前記押圧柱（６３）における押圧部（６３２）と対応する。
【００１５】
図３乃至図５に示すように、本考案では、前記スイッチ部（６０）のＯＮ切換部（６２）が押圧された時は、前記ガイドプレート（４０）の可動端（４２）が第２ピン（３０）に接触し、一方、スイッチ部（６０）のＯＦＦ切換部（６１）が押圧された時は、ガイドプレート（４０）の可動端（４２）が第２ピン（３０）から離間し、押圧柱（６３）の押圧部（６３２）が掛止部材（５０）に掛止される。
【００１６】
更に、オーバーロードブレーカースイッチが低温の環境にある時は、前記ガイドプレート（４０）自身の特性により、可動端（４２）が下方へ移動し第２ピン（３０）と接触するが、可動端（４２）に過電流が流れ、温度が所定の値まで上昇すると、該可動端（４２）が第２ピン（３０）から離れて、電力供給回路と遮断される。そして、ガイドプレート（４０）の温度が短時間内に低下すると、可動端（４２）が再び第２ピン（３０）と接触しようとする。しかしこの時、掛止部材（５０）が押圧柱（６３）を掛止することにより、該押圧柱（６３）の第２ピン（３０）側への移動を阻止するので、ガイドプレート（４０）が冷却されても、第２ピン（３０）と接触することはない。尚、この時、図６に示すように、使用者がスイッチ部（６０）のＯＮ切換部（６２）を押圧すると、掛止部材（５０）による押圧柱（６３）の掛止状態が解放され、ガイドプレート（４０）は、第２ピン（３０）と接触状態となる。
【００１７】
なお、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１８】
【図１】本考案に係るオーバーロードブレーカースイッチをＯＮ状態にした時の斜視図である。
【図２】本考案に係るオーバーロードブレーカースイッチをＯＮ状態にした時の側面図である。
【図３】本考案に係るオーバーロードブレーカースイッチにおけるスイッチ部と第２ピンとの導通状態を示した斜視図である。
【図４】本考案に係るオーバーロードブレーカースイッチをＯＦＦ状態にした時の斜視図である。
【図５】本考案に係るオーバーロードブレーカースイッチをＯＦＦ状態にした時の側面図である。
【図６】本考案に係るオーバーロードブレーカースイッチにおけるスイッチ部と第２ピンとの非導通状態を示した斜視図である。
【図７】従来のオーバーロードブレーカースイッチをＯＮ状態にした時の側面図である。
【図８】従来のオーバーロードブレーカースイッチをＯＦＦ状態にした時の側面図である。
【符号の説明】
【００１９】
１０        外部カバー
１１        収納部
２０        第１ピン
３０        第２ピン
４０        ガイドプレート
４１        固定端
４２        可動端
５０        掛止部材
６０        スイッチ部
６１        ＯＦＦ切換部
６２        ＯＮ切換部
６３        押圧柱
６３２      押圧部
９０        外部カバー
９１        結合部
９２        結合部
９３        ガイドプレート
９３１      可動端
９４        スイッチ部
９４１      押圧柱
【図１】
0003127561.tif 000003
【図２】
0003127561.tif 000004
【図３】
0003127561.tif 000005
【図４】
0003127561.tif 000006
【図５】
0003127561.tif 000007
【図６】
0003127561.tif 000008
【図７】
0003127561.tif 000009
【図８】
0003127561.tif 000010